(57)【要約】【課題】カメラ本体で行う画像ファイルの整理を容易なものとする。【解決手段】ＣＰＵ２０１はメモリ読み出し書き込み部３６へ指示を与え、顕微鏡により得られる標本像を表わしている画像データファイルをリムーバブルメディア３５に記録させる。操作部３０に備えられている電源スイッチが操作されてこの顕微鏡用デジタルカメラへの電力の供給が開始されたときに、ＣＰＵ２０１は読み出し属性設定部７４へ指示を与え、当該開始時点においてリムーバブルメディア３５に既に記録されていたデータファイルに対して読み出し専用の属性を設定する。【選択図】  図３Ｂ
2010178358.tif 000002
【特許請求の範囲】
【請求項１】
顕微鏡により得られる標本像を記録する顕微鏡用カメラであって、
前記標本像を表わしている画像データファイルを記録媒体に記録させる記録制御手段と、
前記顕微鏡用カメラへの電力の供給を制御するスイッチ手段と、
前記スイッチ手段によって前記電力の供給が開始されたときに、当該開始時点において前記記録媒体に既に記録されていたデータファイルのリストを作成するリスト作成手段と、
前記記録媒体におけるデータファイルの記録を削除する削除手段と、
データファイルの記録を削除する指示を取得したときに、前記記録媒体におけるデータファイルの記録のうち、前記リストに含まれていないデータファイルの記録のみを前記削除手段に削除させる削除制御手段と、
を有することを特徴とする顕微鏡用カメラ。
【発明の詳細な説明】
【技術分野】
【０００１】
本発明は、データ管理技術に関し、特に、顕微鏡での観察画像を撮影するカメラにおいて当該観察画像を表している画像データのファイルを管理する技術に関する。
【背景技術】
【０００２】
顕微鏡での観察画像を撮影して当該観察画像を表している画像データを生成する顕微鏡用デジタルカメラでは、フレシキブルディスクや半導体メモリカード等のコンピュータ（以下、「ＰＣ」を称することとする）で読み書き可能な記録媒体を装備している。この記録媒体に記録される観察画像の画像データは、たとえばＪＰＥＧ（Joint Photographic Experts Group）方式のような、ＰＣ上での表示も可能である汎用の画像用のデータ形式に則った画像データファイル（以下、単に「画像ファイル」と称することとする）として格納されるのが一般的である。
【０００３】
一方、昨今の記録媒体の容量の増大に伴い、１つの記録媒体に記録される画像の数（画像ファイル数）も増加しており、数千から数万に及ぶ場合もある。そのため、記録媒体に記録済みの画像ファイルの整理を顕微鏡用デジタルカメラで行えるようにすることは必須となっており、例えば、記録媒体内にある画像ファイル全ての削除を１回の操作で簡単に行える一括削除機能や、不要な画像ファイルを観察者が指定して削除するといった機能を有する顕微鏡用デジタルカメラが一般に普及している。また、カメラをＰＣに接続し、カメラの制御や画像の記録、再生操作等をＰＣにて行える機能を備えており、カメラに着脱可能な記録媒体よりも一般的には大容量であるハードディスク装置を備えているＰＣにて、撮影済の画像についての画像ファイルの記録保存を行うＰＣ制御型顕微鏡用デジタルカメラも広く普及している。このようなカメラでは、上記のファイル一括削除機能や指定画像削除機能に加えて、ＰＣが汎用的に装備している、画像ファイルソート機能や複数の画像を観察者がまとめて指定しての画像ファイル一括削除機能、あるいはファイル名変更機能など、多彩なファイル操作を可能としている。
【０００４】
このようなデータファイルの整理機能に関し、従来、様々な技術が提案されている。
例えば特許文献１には、画像ファイルをその記録日時と共に記録媒体に記録しておくようにし、その記録日時が古い画像を自動的に削除すると共に、記録媒体の残り記録容量が設定量よりも少なくなったときには、日時の最も古い画像が削除されるようにして、使用者がファイル整理操作を行わなくても済むと共に、少ない記録容量の記録媒体でもより多くの撮影を可能とするという技術が開示されている。
【０００５】
また、例えば特許文献２には、ユーザ情報を含む設定ファイルを持つようにし、選択されたユーザ情報に一致するファイルのみアクセス可能とすることで、装置を共有使用していても、個々のユーザ好みの設定を可能して使用勝手を向上させるという技術が開示されている。
【０００６】
また、例えば特許文献３には、音楽ファイルと画像ファイルとを区別して、それらを各々一つずつ削除可能とする若しくは一括削除可能とすることにより、ファイル整理性能を向上させるという技術が開示されている。
【０００７】
また、例えば特許文献４には、画像を外部とやりとりする通信機能付きの電子カメラ等の電子画像装置において、送信した画像や受信した画像の一括削除を可能とすることで、使用者によるファイル整理操作が簡素化されるという技術が開示されている。
【０００８】
また、例えば特許文献５には、カメラで画像を記録する際に識別コードも併せて記録するようにして、記録媒体に記録されているファイルが自カメラの画像ファイルであるのか、あるいはその他のカメラ等の装置で作成されたファイルであるのかをカメラでの画像ファイル操作時に識別できるようにしておき、観察者がカメラを操作して画像削除を行う場合には他装置で作成されたファイルは消去しないようにすることで、他装置で作成された画像が確実に保護されるという技術が開示されている。
【０００９】
また、例えば特許文献６には、プリント指定された画像は画像消去の対象から外すようにして、後で印刷しようとしている画像を誤って消去してしまうことを防止するという技術が開示されている。
【先行技術文献】
【特許文献】
【００１０】
【特許文献１】特開平１０−１２４３５３号公報
【特許文献２】特開２００２−２４０６７号公報
【特許文献３】特開２００２−１７６５７８号公報
【特許文献４】特開２００２−３６９１２０号公報
【特許文献５】特許第３４４６５２４号公報
【特許文献６】特開２００３−１９６０７７号公報
【発明の概要】
【発明が解決しようとする課題】
【００１１】
上掲した各技術のうち、特許文献１に開示されている技術では、記録日時は古いものの保存しておきたい画像を誤って消去してしまうことがあり、また、記録媒体内の画像を不要画像と必要画像とに一括して区別することができない。
【００１２】
また、特許文献２に開示されている技術では、設定ファイルを別途用意しなければならいため、装置の構成が複雑なものとなってしまう。
また、特許文献３には、区別するファイルの種類を観察者が設定することは開示されていない。
【００１３】
また、特許文献４に開示されている技術は、画像ファイルの送受信を行うことが前提となっている。
また、特許文献５に開示されている技術は、１台のカメラを複数の観察者で共用する場合に、他の者が自カメラで撮影して記録しておいた画像ファイルを削除してしまうことがあり得る。
【００１４】
また、特許文献６に開示されている技術では、印刷はしないが保存しておきたい画像に対する配慮はなされていない。
本発明は上述した問題に鑑みてなされたものであり、その解決しようとする課題は、カメラ本体で行う画像ファイルの整理を容易なものとすることである。
【課題を解決するための手段】
【００１５】
本発明の態様のひとつである顕微鏡用カメラは、顕微鏡により得られる標本像を記録する顕微鏡用カメラであって、当該標本像を表わしている画像データファイルを記録媒体に記録させる記録制御手段と、当該顕微鏡用カメラへの電力の供給を制御するスイッチ手段と、当該スイッチ手段によって当該電力の供給が開始されたときに、当該開始時点において当該記録媒体に既に記録されていたデータファイルのリストを作成するリスト作成手段と、当該記録媒体におけるデータファイルの記録を削除する削除手段と、データファイルの記録を削除する指示を取得したときに、当該記録媒体におけるデータファイルの記録のうち、当該リストに含まれていないデータファイルの記録のみを当該削除手段に削除させる削除制御手段と、を有することを特徴とするものであり、この特徴によって前述した課題を解決する。
【００１６】
なお、上述した本発明に係る顕微鏡用カメラにおいて、画像データファイルで表わされている画像を再生して表示する表示手段を更に有し、当該リスト作成手段は、当該データファイルのうち当該表示手段で表示可能な画像を表わしている画像データファイルのみについての当該リストを作成する、ように構成してもよい。
【００１７】
また、前述した本発明に係る顕微鏡用カメラにおいて、他の機器から送られてくる制御信号に基づいて当該顕微鏡用カメラの動作を制御する制御手段を更に有するように構成してもよい。
【発明の効果】
【００１８】
本発明によれば、以上のようにすることにより、画像ファイルの整理が容易なものとなるという効果を奏する。
【図面の簡単な説明】
【００１９】
【図１】本発明を実施する顕微鏡用デジタルカメラを含む観察システムの構成を示す図である。
【図２】カメラヘッド部の内部構成を示す図である。
【図３Ａ】操作部位の外観構成を示す図である。
【図３Ｂ】操作部位の電気的構成を示す図である。
【図４】表示部位の構成を示す図である。
【図５】ＣＰＵによって行われる制御処理の処理内容をフローチャートで示した図である。
【図６】画像再生処理の処理内容をフローチャートで示した図である。
【図７】削除実行指示確認画面の例を示す図である。
【図８】削除実行禁止通知画面の例を示す図である。
【図９Ａ】図５の制御処理における実施例２での変更部分を示す図である。
【図９Ｂ】図６の画像再生処理における実施例２での変更部分を示す図である。
【図１０】実施例３、実施例７、及び実施例８における操作部位４の電気的構成を示す図である。
【図１１】ファイル情報リストの例を示す図である。
【図１２Ａ】図５の制御処理における実施例３での変更部分を示す図である。
【図１２Ｂ】電源ｏｆｆ時制御処理の処理内容をフローチャートで示した図である。
【図１２Ｃ】図５の制御処理における実施例３の変形例での変更部分を示す図である。
【図１２Ｄ】図１２Ｂの電源ｏｆｆ時制御処理における実施例３の変形例での変更部分を示す図である。
【図１３】実施例４及び実施例６における操作部位の電気的構成を示す図である。
【図１４】図５の制御処理における実施例５の変形例での変更部分を示す図である。
【図１５】読み出し専用属性設定選択画面の例を示す図である。
【図１６Ａ】リムーバブルメディアに対するフォーマットを行うための制御処理である。
【図１６Ｂ】図１６Ａの制御処理における実施例６の変形例での変更部分を示す図である。
【図１７】フォーマット中止報知画面の例を示す図である。
【図１８Ａ】図５の制御処理における実施例７での変更部分を示す図である。
【図１８Ｂ】図６の画像再生処理における実施例７での変更部分（その１）を示す図である。
【図１８Ｃ】図６の画像再生処理における実施例７での変更部分（その２）を示す図である。
【図１９Ａ】既存画像削除実行指示確認画面の例を示す図である。
【図１９Ｂ】全削除実行指示確認画面の例を示す図である。
【図２０】図１８Ａの制御処理における実施例８での変更部分を示す図である。
【図２１】実施例９における操作部位の電気的構成を示す図である。
【図２２】ＩＤファイルのデータ例を示す図である。
【図２３】図５の制御処理における実施例９での変更部分を示す図である。
【図２４】実施例１０における操作部位の電気的構成を示す図である。
【発明を実施するための形態】
【００２０】
以下、本発明の実施の形態を図面に基づいて説明する。
【実施例１】
【００２１】
図１は、本発明を実施する顕微鏡用デジタルカメラを含む観察システムの構成を示している。
図１において、顕微鏡用デジタルカメラ３は、カメラヘッド部２と、これとは別体の構成である操作表示部６とより構成されており、このうちのカメラヘッド部２は顕微鏡本体１から到来する、標本５０の像（標本像）を表わしている光の光軸５３上に配置される。
【００２２】
顕微鏡本体１は、標本５０を載置するためのステージ５１と、標本５０を観察するための対物レンズ５２と、顕微鏡本体１からの光を標本像として結像させて観察者が覗き見るための接眼レンズ５４と、当該光をカメラヘッド部２の受光部において標本像として結像させる結像レンズ５５と、光軸５３を進む光の一部を接眼レンズ５４へ導くハーフミラー５６等で主に構成されている。
【００２３】
図２はカメラヘッド部２の内部構成を示している。
同図に示すように、カメラヘッド部２は、受光面で結像している標本像を光電変換する光電変換素子２０と、光電変換素子２０から出力される電気信号を一定の時間間隔でサンプリングするサンプリング回路２１と、アナログ電気信号であるサンプリング信号をデジタルデータへ変換するＡ／Ｄ（アナログ−デジタル）変換器２２と、変換されたデジタルデータに基づいて試料５０の画像を生成する画像処理部２３と、を有している。ここで、光電変換素子２０としては、例えばＣＣＤ（電荷結合素子）が使用される。なお、図１に示すように、顕微鏡本体１とカメラヘッド部２との間には、光電変換素子２０の受光面へ届く光を所望の時に遮断するシャッタ２５が設けられている。このシャッタ２５は、機械的に光を遮断するメカニカルシャッタでよいが、その代わりに、電気信号に応じて光を遮断する電子シャッタを用いるようにしてもよい。
【００２４】
図１の説明へ戻る。カメラヘッド部２と操作表示部６とはケーブル７により接続されていて相互に電気信号の授受が可能であり、また、ケーブル７の長さの許す範囲で操作表示部６をカメラヘッド部２から離して設置することができる。
【００２５】
操作表示部６は、カメラヘッド部２に対する動作制御の指示のために観察者によって各種の操作がされる操作部位４と、カメラヘッド部２に導かれた標本５０の標本像を表示する表示部位５とを一体的に備えている。なお、表示部位５は、操作部位４に対する操作によって行われる各種の撮影条件の設定状況等を表示する機能も有している。
【００２６】
操作部位４と表示部位５とは一定の角度を保って固定されている。例えば操作表示部６を机上に設置した場合、操作部位４は机上面とほぼ水平、表示部位５は机上面と０°〜９０°の範囲で観察者の操作しやすい角度、例えば９０°程度となっている。なお、表示部位５が机上面と０°の状態とは操作部位４と表示部位５とが水平の状態、すなわち操作部位４に設けられている各種のスイッチと表示部位５に備えられている表示パネルとが同一面上に配置されている状態を意味するものである。
【００２７】
図３Ａは操作部位４の外観の構成を示している。
操作部位４には、顕微鏡用デジタルカメラ３の各部への電力の供給を指示するための電源スイッチ７１と、顕微鏡用デジタルカメラ３の動作モードを観察者が切り替えて、撮影動作を行うための“撮影動作モード”もしくは記録されている撮影像を再生するための“再生モード”の２つのモードのいずれかを少なくとも選択するためのモードスイッチ３２と、標本像の撮影時に行われる露光補正における補正値を設定するための露光補正スイッチ３３と、記録されている観察画像を再生モード時に消去するための１枚削除スイッチ７２及び全削除スイッチ７３と、カメラヘッド部２や表示部位５に対して種々の動作指示を行うためのシャッタスイッチ３１や左選択スイッチ６１あるいは右選択スイッチ６２等の動作制御スイッチとが設けられており、更に、撮影像を保存するメモリ装置３４が設けられている。
【００２８】
メモリ装置３４は、ＰＣ等で広く利用されているフレキシブルディスクといった着脱可能なリムーバブルメディア３５に対して撮影画像の書き込み、読み出しを行えるメモリ読み出し書き込み部３６を有している。
【００２９】
図３Ｂは、本実施例における操作部位４の電気的構成を示している。
同図において、操作部３０は、図３Ａに示されている各種のスイッチを備えている。観察者による操作部３０に対する種々の操作は、中央演算装置と、後述する各種の制御処理を当該中央演算装置に行わせるためのプログラムが格納されているＲＯＭと、当該中央演算装置が当該プログラムを実行するための作業用記憶領域として使用するＲＡＭと等を含む制御処理部（以下ＣＰＵとする）２０１により解析、処理される。
【００３０】
例えば、画像等を表示部位５で表示させる場合には、ＣＰＵ２０１は表示用ＲＡＭ２００へ表示用のデータを書き込む処理を行うと表示部位５が当該データに基づいた表示を行う。また、撮影に関する制御では、ＣＰＵ２０１は、操作部３０に対する操作に対応付けられている撮影に関する指示をカメラヘッド部２に与えるための所定の制御信号を生成して、カメラヘッドコネクタ２０３からケーブル７を介してカメラヘッド部２へ送る処理を行うと、カメラヘッド部２（シャッタ２５を含む）の動作が当該指示によって制御される。また、カメラヘッド部２の画像処理部２３からケーブル７を介して送られてくるデジタル画像データを記録媒体であるリムーバブルメディア３５へ記録する場合には、ＣＰＵ２０１は、当該画像データを所定のファイル形式にしてメモリ読み出し書き込み部３６へ送付する処理を行う。なお、本実施形態においては、よく知られているＭＳ−ＤＯＳ（登録商標）のＦＡＴ（File Allocation Table ）ファイルシステムを使用してリムーバブルメディア３５内でのデータファイルの管理を行うものとする。
【００３１】
メモリ装置３４とＣＰＵ２０１の間には、リムーバブルメディア３５に記録されている画像ファイルの数を検出する記録枚数検出部６４と、リムーバブルメディア３５に記録されているファイルに対して読み出し専用属性（当該ファイルに含まれているデータに対する追加、変更、消去の操作を禁止する属性）を設定する読み出し属性設定部７４とが備えられている。
【００３２】
次に図４について説明する。同図は表示部位５の構成を示している。
表示部位５には、撮影像やメモリ装置３４で保存されている画像の再生像を表示する画像表示パネル４１と、撮影の際における露光時間や露光補正等の撮影情報や再生時の画像ファイル名等の再生情報を表示する情報表示パネル４２とが設けられている。更に、操作部位４の表示用ＲＡＭ２００に格納されているデータで表わされている画像を表示する際に必要となる、デジタル信号である画像データをアナログ電気信号へ変換するＤ／Ａ（デジタル−アナログ）変換器２４が備えられている。
【００３３】
次に図５について説明する。同図は、ＣＰＵ２０１によって行われる制御処理の処理内容をフローチャートで示したものである。電源スイッチ７１をｏｎ側にして顕微鏡用デジタルカメラ３の各部への電力の供給が開始されると、ＣＰＵ２０１は前述したプログラムをまず読み込んでその実行を開始し、同図に示されている制御処理を行うようになる。
【００３４】
まず、Ｓ１０１において、記録枚数検出部６４へ指示を与えてリムーバブルメディア３５に記録されている画像の枚数（画像ファイルのファイル総数）を検出する処理が行われ、続くＳ１０２において、読み出し属性設定部７４へ指示を与えてリムーバブルメディア３５内のディレクトリエントリのファイル属性を書き換えることにより、その数だけの画像ファイルに対し、すなわちリムーバブルメディア３５内の全ての画像ファイルに対し、読み出し専用属性を設定する処理が行われる。
【００３５】
このようにして読み出し専用属性に一旦設定されたファイルは、顕微鏡用デジタルカメラ３でのファイル操作時のみならず、顕微鏡用デジタルカメラ３から取り出したリムーバブルメディア３５をデータ読み出し装置（例えばフレキシブルディスクならフレキシブルディスクドライブ）へ挿入してＰＣ等でファイル操作を行っても、その読み出し専用属性は有効なものとして認識されるので、その属性を解除する処理を行わない限りは、ファイルの削除や変更などの編集操作が受け付けられない。
【００３６】
次に、Ｓ１０３では、モードスイッチ３２によって現在選択されている、顕微鏡用デジタルカメラ３の動作モードが何であるかを判別する処理が行われる。ここで、撮影モードが選択されているのであればＳ１０４に処理を進め、再生モードが選択されているのであればＳ１１３に処理を進める。
【００３７】
Ｓ１０４では標本像表示処理が行われる。この処理は、ＣＰＵ２０１の管理の下で、顕微鏡用デジタルカメラ３で現在撮像中の標本５０の画像をそのまま画像表示パネル４１に表示させる処理である。より詳細に説明すると、まず、顕微鏡本体１からの標本像が結像レンズ５５を経て光電変換素子２０に結像すると、標本像は電気信号に変換される。その電気信号はサンプリング回路２１によって単位時間毎に標本化された後にＡ／Ｄ変換器２２によりデジタルデータへ変換される。その後、画像処理部２３によってそのデジタルデータに対して所定の画像処理が施されることにより、標本５０を表わしている画像についての画像データが生成される。生成された画像データがカメラヘッド部２からケーブル７を介して操作表示部６へと送られてくると、ＣＰＵ２０１はこの画像データを表示用ＲＡＭ２００へ格納する。格納された画像データは表示部位５から読み出され、Ｄ／Ａ変換器２４によってアナログ信号である画像信号へと変換された後に画像表示パネル４１へ入力されることにより、標本５０の画像が画像表示パネル４１で表示される。以上の処理を顕微鏡用デジタルカメラ３の各部に行わせる処理が標本像表示処理である。
【００３８】
Ｓ１０５では、モードスイッチ３２によって現在選択されている、顕微鏡用デジタルカメラ３の撮影モードが何であるかを判別する処理が行われる。
本実施形態において、顕微鏡用デジタルカメラ３の撮影モードには、更に「観察状態」と「撮影中状態」の少なくとも２つの動作モードが用意されている。「観察状態」モードは、シャッタ２５を開放の状態（一定の時間間隔で開閉させてもよい）で標本５０の画像を繰り返し撮像しながら直ちに画像表示パネル４１に逐次表示することでの標本像の動的な表示を可能とするというものであり、「撮影中状態」モードは、シャッタスイッチ３１が押下操作された瞬間の標本像を画像表示パネル４１に静止画として表示すると共に、当該標本像の画像ファイルをリムーバブルメディア３５へ記録するというものである。
【００３９】
このＳ１０５の処理において、「観察状態」モードが選択されていると判別されたときにはＳ１０６に処理を進め、「撮影中状態」モードが選択されていると判別されたときにはＳ１０８に処理を進める。
【００４０】
Ｓ１０６では、前述したＳ１０４と同様の標本像表示処理が行われる。
Ｓ１０７では、モードスイッチ３２に対する操作が行われて顕微鏡用デジタルカメラ３を他の動作モードへ切り替える指示が検出されたか否かを判定する処理が行われる。ここで、当該指示操作が検出されたとき（判定結果がＹｅｓのとき）にはＳ１０３へと処理を戻して上述した処理が繰り返される。一方、当該操作指示が検出されないとき（判定結果がＮｏのとき）には、Ｓ１０６へと処理を戻して上述した標本像表示処理が再び行われる。この標本像表示処理が繰り返し行われることにより、画像表示パネル４１での標本像の動的な表示が実現される。
【００４１】
Ｓ１０８では、シャッタスイッチ３１に対する押下操作が検出されたか否かを判定する処理が行われる。ここで、当該押下操作が検出されたとき（判定結果がＹｅｓのとき）にはＳ１０９に処理を進め、当該押下操作が検出されないとき（判定結果がＮｏのとき）にはＳ１１２に処理を進める。
【００４２】
Ｓ１０９では、シャッタ２５を制御して予め設定されている所定の露光時間だけ開放させる処理が行われる。
Ｓ１１０では、前ステップの処理によってシャッタ２５を開放させていた期間中に光電変換素子２０から出力された電気信号で表わされている画像を、標本像表示処理と同様にして画像表示パネル４１で表示させる処理が行われる。なお、このとき、露光時間の設定状態や、当該撮影においてなされている露光補正等の撮影情報を情報表示パネル４２で表示させる処理が併せて行われる。
【００４３】
Ｓ１１１では、メモリ読み出し書き込み部３６へ指示を与え、前ステップの処理によって画像表示パネル４１に表示させている画像についての画像ファイルをリムーバブルメディア３５に記録させる処理が行われる。なお、この記録処理において、記録対象の画像ファイルに対して読み出し専用属性は設定しない。
【００４４】
Ｓ１１２では、モードスイッチ３２に対する操作が行われて顕微鏡用デジタルカメラ３を他の動作モードへ切り替える指示が検出されたか否かを判定する処理が行われる。ここで、当該指示操作が検出されたとき（判定結果がＹｅｓのとき）にはＳ１０３へと処理を戻して上述した処理が繰り返される。一方、当該操作指示が検出されないとき（判定結果がＮｏのとき）には、Ｓ１０８へと処理を戻してシャッタスイッチ３１に対する押下操作を検出する処理が再び行われる。
【００４５】
ところで、前述したＳ１０３の処理において、再生モードが選択されていると判別された場合には、Ｓ１１３において、メモリ読み出し書き込み部３６へ指示を与え、リムーバブルメディア３５に記録されている所定の画像ファイル、ここでは、順序付けがされている画像ファイルのうちの先頭の画像ファイルを読み出す処理が行われる。
【００４６】
Ｓ１１４では、画像再生処理が行われる。この処理は、リムーバブルメディア３５に記録されている画像ファイルで表わされている画像を画像表示パネル４１に表示させる処理であり、その詳細は後述する。
【００４７】
Ｓ１１５では、モードスイッチ３２に対する操作が行われて顕微鏡用デジタルカメラ３を他の動作モードへ切り替える指示が検出されたか否かを判定する処理が行われる。ここで、当該指示操作が検出されたとき（判定結果がＹｅｓのとき）にはＳ１０３へと処理を戻して上述した処理が繰り返される。一方、当該操作指示が検出されないとき（判定結果がＮｏのとき）には、Ｓ１１４へと処理を戻して画像再生処理が再び行われる。
【００４８】
以上までの処理が図５の処理である。
次に図６について説明する。同図は、図５のＳ１１４の処理である、画像再生処理の処理内容をフローチャートで示したものである。
【００４９】
まず、Ｓ１２１において、直近に実行されたリムーバブルメディア３５からの画像ファイルの読み出しの処理、例えば図５のＳ１１３の処理において、読み出し対象とした画像ファイルがリムーバブルメディア３５内に存在したか否かを判定する処理が行われる。ここで、当該画像ファイルが存在したとき（判定結果がＹｅｓのとき）には、Ｓ１２３に処理を進める。一方、当該画像ファイルが存在しないとき（判定結果がＮｏのとき）には、Ｓ１２２において、画像ファイルがリムーバブルメディア３５内に画像ファイル存在しない旨を観察者に通知する画面を画像表示パネル４１に所定時間表示させる処理が行われ、その後はこの画像再生処理を終了して図５の処理へ戻る。
【００５０】
Ｓ１２３では、直近に実行されたリムーバブルメディア３５からの画像ファイルの読み出しの処理によって読み出された画像ファイルで表されている画像を画像表示パネル４１で表示させる処理が行われる。すなわち、当該画像ファイルから所定の形式で格納されている画像データを取り出して所定の様式でＲＡＭ２００へ格納し、画像データを表示部位５に読み出させてＤ／Ａ変換器２４によりアナログ信号である画像信号へと変換させた後に画像表示パネル４１へ入力させて、画像を画像表示パネル４１に表示させる。
【００５１】
Ｓ１２４では、右選択スイッチ６２に対する押下操作が検出されたか否かを判定する処理が行われる。ここで、当該押下操作が検出されたとき（判定結果がＹｅｓのとき）にはＳ１２５に処理を進め、当該押下操作が検出されないとき（判定結果がＮｏのとき）にはＳ１２６に処理を進める。
【００５２】
Ｓ１２５では、メモリ読み出し書き込み部３６へ指示を与え、リムーバブルメディア３５に記録されている画像ファイルのうち、画像表示パネル４１に現在表示中の画像についてのものの直後の順番が与えられている画像ファイルを読み出す処理が行われ、その後はこの画像再生処理を終了して図５の処理へ戻る。
【００５３】
Ｓ１２６では、左選択スイッチ６１に対する押下操作が検出されたか否かを判定する処理が行われる。ここで、当該押下操作が検出されたとき（判定結果がＹｅｓのとき）にはＳ１２７に処理を進め、当該押下操作が検出されないとき（判定結果がＮｏのとき）にはＳ１２８に処理を進める。
【００５４】
Ｓ１２７では、メモリ読み出し書き込み部３６へ指示を与え、リムーバブルメディア３５に記録されている画像ファイルのうち、画像表示パネル４１に現在表示中の画像についてのものの直前の順番が割り当てられている画像ファイルを読み出す処理が行われ、その後はこの画像再生処理を終了して図５の処理へ戻る。
【００５５】
以上までのＳ１２４からＳ１２７にかけての処理は、リムーバブルメディア３５に画像ファイルが記録されている画像の画像表示パネル４１での表示を、左選択スイッチ６１若しくは右選択スイッチ６２に対する操作に応じて順次切り替えるための処理である。ここで、右選択スイッチ６２に対する操作により、最後の順番が割り当てられている画像に続く直後の順番の画像の表示指示を受け取ったときには、代わりに最初の順番が割り当てられている画像を表示させるようにしてもよく、また、左選択スイッチ６１に対する操作により、最初の順番が割り当てられている画像に続く直前の順番の画像の表示指示を受け取ったときには、代わりに最後の順番が割り当てられている画像を表示させるようにしてもよい。
【００５６】
Ｓ１２８では、１枚削除スイッチ７２に対する押下操作が検出されたか否かを判定する処理が行われる。ここで、当該押下操作が検出されたとき（判定結果がＹｅｓのとき）にはＳ１２９に処理を進め、当該押下操作が検出されないとき（判定結果がＮｏのとき）にはＳ１３６に処理を進める。
【００５７】
以降のＳ１２９からＳ１３５にかけての処理は、画像表示パネル４１に現在表示されている画像の画像ファイルをリムーバブルメディア３５から削除するが、この画像ファイルに対して読み出し専用属性が設定されている場合には、当該画像ファイルの削除を行わないようにするというものである。
【００５８】
Ｓ１２９では、画像表示パネル４１に現在表示されている画像の画像ファイルに対し、読み出し専用属性が設定されていないか否かを判定する処理が行われ、当該属性が設定されていないとき（判定結果がＹｅｓのとき）にはＳ１３０に処理を進め、当該属性が設定されているとき（判定結果がＮｏのとき）にはＳ１３４に処理を進める。
【００５９】
Ｓ１３０では、図７に例示するような削除実行指示確認画面を画像表示パネル４１に重畳表示させる処理が行われ、続くＳ１３１において、表示された当該画面に応じて観察者によってなされた指示が何であったかを判別する処理が行われる。
【００６０】
このＳ１３１の処理において、左選択スイッチ６１の押下操作による削除実行の指示がなされたと判別したときにはＳ１３２に処理を進め、画像表示パネル４１に現在表示されている画像の画像ファイルをリムーバブルメディア３５から削除する処理が行われ、続くＳ１３３において、メモリ読み出し書き込み部３６へ指示を与え、リムーバブルメディア３５に記録されている画像ファイルのうち、削除したものの直後の順番が割り当てられている画像ファイルを読み出す処理が行われ、その後はこの画像再生処理を終了して図５の処理へ戻る。一方、Ｓ１３１の処理において、右選択スイッチ６２の押下操作による削除実行中止の指示がなされたと判別したときにはＳ１３５に処理を進める。
【００６１】
Ｓ１３４では、画像表示パネル４１に現在表示されている画像の画像ファイルに対して読み出し専用属性が設定されていることを観察者へ通知する画面である、図８に例示するような削除実行禁止通知画面を画像表示パネル４１に所定時間重畳表示させる処理が行われる。なお、この処理においては、画像表示パネル４１に現在表示されている画像の画像ファイル、すなわち読み出し専用属性が設定されている画像ファイルは当然削除しない。
【００６２】
Ｓ１３５では、メモリ読み出し書き込み部３６へ指示を与え、画像表示パネル４１に現在表示されている画像の画像ファイルを読み出す処理が行われ、その後はこの画像再生処理を終了して図５の処理へ戻る。
【００６３】
Ｓ１３６では、全削除スイッチ７３に対する押下操作が検出されたか否かを判定する処理が行われる。ここで、当該押下操作が検出されたとき（判定結果がＹｅｓのとき）にはＳ１３７に処理を進め、当該押下操作が検出されないとき（判定結果がＮｏのとき）にはこの画像再生処理を終了して図５の処理へ戻る。
【００６４】
Ｓ１３７では、メモリ読み出し書き込み部３６へ指示を与え、リムーバブルメディア３５に記録されている画像ファイルのうち、読み出し専用属性が設定されていないものを抽出する処理が行われ、続くＳ１３８において、抽出された画像ファイルのみをリムーバブルメディア３５から全て削除する処理が行われる。従って、読み出し専用属性が設定されている画像ファイルは削除されずにリムーバブルメディア３５に残される。
【００６５】
Ｓ１３９では、メモリ読み出し書き込み部３６へ指示を与え、リムーバブルメディア３５に記録されている画像ファイルのうち、先頭の順番が与えられている画像ファイルを読み出す処理が行われ、その後はこの画像再生処理を終了して図５の処理へ戻る。
【００６６】
以上までの処理が画像再生処理である。
ＣＰＵ２０１が上述した図５及び図６の処理を行うことにより、リムーバブルメディア３５での画像ファイルの管理が顕微鏡用デジタルカメラ３によって行えるようになる。
【００６７】
上述した本実施例の顕微鏡用デジタルカメラ３は、次のような効果を奏する。
まず、電源スイッチ７１をｏｎ側にして顕微鏡用デジタルカメラ３の各部へ電力の供給が開始されると、その時点においてリムーバブルメディア３５に記録されていた全ての画像ファイルに対して、読み出し専用属性が自動的に設定されるので、電力供給開始時点においてリムーバブルメディア３５で記録されていた画像を誤って消去することがない。従って、読み出し専用属性を観察者が画像ファイルに個別に設定する手間が省けて操作性が向上すると共に、例えば１つのリムーバブルメディア３５を多人数で共用する場合に、他人が以前に撮影して記録しておいた画像を誤って消去してしまうことがなく、安心して共用することができる。また、自分が所有しているリムーバブルメディア３５他人に貸す場合にも、他人に誤って画像が消去されることがないので、安心である。
【００６８】
更に、多数の画像が記録媒体内で記録されている場合に顕微鏡用デジタルカメラ３の全削除機能を使用すると、電力の供給が直近に開始された後に新規に記録した画像のみが全て削除できるので、画像ファイルの整理が容易になる。
【００６９】
なお、本実施例において、リムーバブルメディア３５の代わりに、例えばハードディスク装置や半導体メモリ等の固定式の記録媒体をメモリ装置３４に設置し、このような記録媒体で画像を記録するようにしてもよい。こうすることにより、リムーバブルメディア３５の着脱機構が不要となるので、顕微鏡用デジタルカメラ３全体が簡素化、小型化される。
【実施例２】
【００７０】
本実施例は、図１に示した顕微鏡用デジタルカメラ３を含む観察システムにおいて、電源スイッチ７１をｏｎ側にして顕微鏡用デジタルカメラ３の各部へ電力の供給が開始されたときに、その時点においてリムーバブルメディア３５に記録されているデータファイルのうち、画像表示パネル４１へ画像として表示可能な画像ファイルのみに対して、読み出し専用属性を設定するというものである。
【００７１】
実施例１は、リムーバブルメディア３５内に画像ファイルのみが記録されていることを前提としていた。これに対し、例えば、観察者がメモ書きなどをテキストファイルとしてリムーバブルメディア３５内に保存している場合に、このようなデータファイルは、顕微鏡用デジタルカメラ３の画像表示パネル４１へ画像として表示されることはない。そこで、このようなファイルに対しては、電力供給開始時に読み出し属性に設定しないこととする。そのためには、図５のＳ１０２の処理に代えて、図９Ａに示す処理をＣＰＵ２０１に行わせるようにする。
【００７２】
図９Ａの処理を説明する。
図５のＳ１０１の処理に続くＳ２０１では、メモリ読み出し書き込み部３６へ指示を与え、リムーバブルメディア３５に記録されているデータファイルのうち、格納しているデータが画像データであることを示す拡張子がファイル名に与えられているデータファイル（例えば、前述したＪＰＥＧ方式に則ったデータ形式の画像ファイルであることを示す「ｊｐｇ」なる拡張子がファイル名に与えられているデータファイル）を全て抽出する処理が行われる。
【００７３】
Ｓ２０２では、読み出し属性設定部７４へ指示を与えてリムーバブルメディア３５内のディレクトリエントリのファイル属性を書き換え、前ステップの処理によって抽出された画像ファイルに対して読み出し専用属性を設定する処理が行われ、その後は図５のＳ１０３に処理を進める。
【００７４】
なお、本実施例においては、全削除スイッチ７３に対する押下操作が検出されたときには、リムーバブルメディア３５に記録されているデータファイルのうち、顕微鏡用デジタルカメラ３の画像表示パネル４１へ画像として表示可能な画像ファイルであって且つ読み出し専用属性となっていないものを全て削除するようにする。具体的には、図６のＳ１３６の処理とＳ１３７の処理との間に、図９Ｂに示すＳ２１１の処理を挿入してＣＰＵ２０１に行わせるようにする。
【００７５】
このＳ２１１の処理は、上述した図９ＡのＳ２０１と同様の処理であり、メモリ読み出し書き込み部３６へ指示を与え、リムーバブルメディア３５に記録されているデータファイルのうち、格納しているデータが画像データであることを示す拡張子がファイル名に与えられているデータファイルを全て抽出する処理である。そして、この処理に続く図６のＳ１３７の処理では、このＳ２１１の処理によって抽出された画像ファイルのうちから、読み出し専用属性が設定されていないものを抽出する処理を行うようにする。このようにすることにより、電力供給開始時点で既にリムーバブルメディア３５に記録されているデータファイルは、テキストファイル等の画像を表わしていないものも含めて、削除されるおそれがなくなる。
【００７６】
上述した本実施例の顕微鏡用デジタルカメラ３は、リムーバブルメディア３５に記録されているデータファイルのうち、顕微鏡用デジタルカメラ３自身で表示可能な画像ファイルのみに対してのみ読み取り属性を設定するので、属性設定作業が少なくなる。その結果、例えばリムーバブルメディア３５が大容量であって膨大なデータファイルが格納されていても、読み出し属性の設定処理の処理量が減少するので、顕微鏡用デジタルカメラ３での電力供給開始時の処理に要する時間が短くなる。
【実施例３】
【００７７】
本実施例は、図１に示した顕微鏡用デジタルカメラ３を含む観察システムにおいて、電源スイッチ７１をｏｎ側にして顕微鏡用デジタルカメラ３の各部への電力の供給が開始されたときに、リムーバブルメディア３５内のディレクトリエントリのファイル属性の書き換えを行うと共に、各画像ファイルが読み出し専用であるか否かを管理するリストを作成してＣＰＵ２０１のＲＡＭで保持しておき、画像ファイルの削除の可否をそのリストに基づいて判断できるようにするというものである。
【００７８】
図１０は、本実施例における操作部位４の電気的構成を示している。なお、同図において、図３に示した実施例１におけるものと同様の構成要素には同一の符号を付している。
本実施例における操作部位４の電気的構成と実施例１におけるものとの相違点は、ＣＰＵ２０１と記録枚数検出部６４との間にファイル情報リスト生成部１００が追加されている点にある。
【００７９】
ファイル情報リスト生成部１００は、電源スイッチ７１をｏｎ側にして顕微鏡用デジタルカメラ３の各部への電力の供給が開始されると、リムーバブルメディア３５に記録されていた全ての画像ファイルのリストを生成してＣＰＵ２０１内のＲＡＭで保持する。そして、顕微鏡用デジタルカメラ３が画像ファイルの削除を行う際における各画像ファイルに対する読み出し属性の設定の有無の判定を、このファイルに基づいて行う。
【００８０】
ファイル情報リスト生成部１００によって生成されるファイル情報リストの例を図１１に示す。
同図に示すリストでは、各データファイルに個別に付与される番号である「ＩＤ」（識別子）と、データファイルの「ファイル名」と、データファイルに与えられている「属性」とが関連付けられている。ここで、データファイルに読み取り専用属性が設定されると、このリストにおける「属性」が「１」とされ、読み取り専用属性が設定されていない（削除可能）であるときには、このリストにおける「属性」が「０」とされる。同図において、例えば、ＩＤが「１」であるデータファイルのファイル名は「Ｐｉｃ００１．ｊｐｇ」であり、属性が「１」とされていることから、このデータファイルには読み取り専用属性が設定されていることが分かる。
【００８１】
なお、図１１のリストにおける「属性」のフィールドは全て「１」とされているので、このリストに示されている全てのデータファイルには読み取り専用属性が設定されていることがわかる。
【００８２】
次に図１２Ａについて説明する。同図に示す処理は、ファイル情報リストの生成のための制御処理である。この処理は、図５のＳ１０２の処理とＳ１０３の処理との間に挿入してＣＰＵ２０１に行わせる。
【００８３】
図５のＳ１０２に続くＳ３０１では、メモリ読み出し書き込み部３６へ指示を与え、リムーバブルメディア３５に記録されているデータファイルのファイル名を全て読み出す処理が行われる。
【００８４】
Ｓ３０２では、ファイル情報リスト生成部１００に指示を与え、前ステップの処理によって取得した各ファイル名に対して個別のＩＤを対応付けてファイル情報リストを生成する処理が行われる。作成されたファイル情報リストはＣＰＵ２０１内のＲＡＭで保持される。
【００８５】
Ｓ３０３では、ＣＰＵ２０１内のＲＡＭで保持されているファイル情報リストにおける全ての「属性」フィールドを「１」として、当該リストにファイル名が示されている全てのデータファイルに対して当該リスト上での読み出し専用属性を設定する処理が行われる。その後は図５のＳ１０３に処理を進めて以降の処理を実行することにより、リムーバブルメディア３５内のディレクトリエントリのファイル属性を書き換えてリムーバブルメディア３５内の全ての画像ファイルに対し、読み出し専用属性を設定する処理が行われる。これにより、リムーバブルメディア３５とファイル情報リストとでの読み出し専用属性が一致する。
【００８６】
なお、これ以降の処理においてシャッタスイッチ３１に対する押下操作に応じて行われる標本像の記録処理では、画像ファイルのリムーバブルメディア３５への記録は行われるが、ファイル情報リストに対するデータ操作は何ら行われない。従って、図１２Ａの処理を行った後にはファイル情報リストが更新されることはない。
【００８７】
次に図１２Ｂについて説明する。同図は、電源スイッチ７１をｏｆｆ側にしたことがＣＰＵ２０１によって検出されると行われる電源ｏｆｆ時制御処理の処理内容をフローチャートで示したものである。
【００８８】
まず、Ｓ３１１では、ＣＰＵ２０１内のＲＡＭで保持されているファイル情報リストを参照する処理が行われ、続くＳ３１２において、当該リスト上で「属性」が「１」に設定されているデータファイル、すなわち、当該リスト上において読み出し専用属性が設定されているデータファイルに対するリムーバブルメディア３５内での読み出し専用属性を解除して削除可能とする処理が行われる。
【００８９】
Ｓ３１３では、顕微鏡用デジタルカメラ３の各部への電力の供給を遮断するための各種の処理が行われ、その後はこの図１２Ｂの処理が終了する。ここで、本実施例においてはファイル情報リストがＣＰＵ２０１内のＲＡＭで保持されているので、電力の供給が遮断されることによりファイル情報リストは消失する。
【００９０】
以上までの処理が電源ｏｆｆ時制御処理である。この処理の後、リムーバブルメディア３５を顕微鏡用デジタルカメラ３から取り出し、データ読み出し装置（例えばフレキシブルディスクならフレキシブルディスクドライブ）へ挿入してＰＣ等でデータファイルの削除やデータ書き込みなどのファイル操作を行う場合、リムーバブルメディア３５内の各データファイルに対する読み出し専用属性は解除されているので、当該ＰＣ等上での当該ファイル操作は可能である。
【００９１】
上述した本実施例の顕微鏡用デジタルカメラ３は、顕微鏡用デジタルカメラ３の各部への電力の供給の開始時（電源スイッチ７１のｏｎ時）にリムーバブルメディア３５に記録されていた各データファイルに対して設定した読み出し専用属性を当該電力の供給の終了時（電源スイッチ７１のｏｆｆ時）に解除するので、その後、リムーバブルメディア３５をＰＣ等の他の装置で使用する場合に、各データファイルに対する読み取り属性の設定変更が不要となり、操作性が更に向上する。
【００９２】
なお、本実施例において、図５のＳ１１１の処理とＳ１１２の処理との間に図１２Ｃの処理を挿入してＣＰＵ２０１に行わせるようにしてもよい。
図１２Ｃの処理を説明すると、図５のＳ１１１の処理によって画像ファイルがリムーバブルメディア３５に記録された後、Ｓ３２１において、記録された画像ファイルのファイル名をファイル情報リストに追加すると共に、当該ファイル情報リスト上で当該ファイル名に個別のＩＤを付与する処理が行われる。そして、続くＳ３２２において、当該ファイル情報リスト上で追加されたファイル名に対応する「属性」を「０」として読み出し専用属性を設定しない（削除可能とする）処理が行われ、その後は図５のＳ１１２に処理を進める。
【００９３】
この図１２Ｃの処理をＣＰＵ２０１に行わせることにより、リムーバブルメディア３５に記録されているデータファイルの管理を、ファイル情報リストを用いて行うことが可能となり、当該管理が容易なものとなる。
【００９４】
更に、この図１２Ｃの処理をＣＰＵ２０１に行わせると共に、図１２ＢのＳ３１２の処理を図１２ＤのＳ３３１の処理に置き換える、すなわち、ファイル情報リスト上で「属性」が「０」に設定されているデータファイル、つまり、当該リスト上において読み出し専用属性が設定されていないデータファイルに対するリムーバブルメディア３５内での読み出し専用属性を解除して削除可能とする処理を行うようにすることもできる。
【００９５】
このようにした場合には、例えば、個々のデータファイルに対して観察者が読み出し専用属性を設定できる機能を顕微鏡用デジタルカメラ３が提供する場合に、観察者が当該機能を使用して読み出し専用属性に設定したデータファイルについては、当該データファイルに対応する「属性」をファイル情報リスト上で１とする処理をＣＰＵ２０１に行わせるようにすれば、電源スイッチ７１のｏｎ時にリムーバブルメディア３５に記録されていた各データファイルと共に、観察者が読み出し専用属性に設定したデータファイルに対しても、リムーバブルメディア３５内での読み出し専用属性が電源スイッチ７１のｏｆｆ時に反映されることとなるので、その属性が電力供給の終了後も保持されるようになる。
【００９６】
また、本実施例において、ファイル情報リストをＣＰＵ２０１内のＲＡＭで保持させる代わりに、リムーバブルメディア３５で保存するようにすることもできる。
この場合には、例えば、複数のリムーバブルメディア３５を保有している観察者がメディアを頻繁に変更しながら観察、撮影操作をしても、ファイル情報リストに記載されたファイル情報と実際にリムーバブルメディア３５内に記録されているデータファイルとの関係が常に一致し矛盾を生じることがないので、リムーバブルメディア３５を差し替える度に電源スイッチ７１を操作して顕微鏡用デジタルカメラ３の電源をｏｎ／ｏｆｆする必要がなくなる。
【実施例４】
【００９７】
本実施例は、顕微鏡用デジタルカメラ３を含む観察システムにおいて、リムーバブルメディア３５に記録されているデータファイルに対し、当該リムーバブルメディア３５を顕微鏡用デジタルカメラ３へ挿入した時点で読み出し専用属性を設定するというものである。
【００９８】
図１３は、本実施例における操作部位４の電気的構成を示している。なお、同図において、図３Ｂに示した実施例１におけるものと同様の構成要素には同一の符号を付している。
【００９９】
本実施例における操作部位４の電気的構成と実施例１におけるものとの相違点は、メモリ装置３４内にメディア検出器１０１が備えられている点にある。
メディア検出器１０１は、リムーバブルメディア３５がメモリ装置３４内に存在するか否かを検出するものである。メディア検出器１０１がリムーバブルメディア３５の挿入を検出するとその検出結果はＣＰＵ２０１に伝えられる。ＣＰＵ２０１は、メディア検出器１０１を常時監視するようにし、この検出結果をメディア検出器１０１から取得する度に、図５に示した制御処理の実行を開始する。こうすることにより、リムーバブルメディア３５に記録されているデータファイルに対し、当該リムーバブルメディア３５を顕微鏡用デジタルカメラ３へ挿入した時点で読み出し専用属性が設定される。
【０１００】
上述した本実施例の顕微鏡用デジタルカメラ３では、リムーバブルメディア３５の挿入に応じて読み出し専用属性が当該リムーバブルメディア３５内のデータファイルに対して設定されるので、電源スイッチ７１がｏｎとされていて顕微鏡用デジタルカメラ３が動作している最中にリムーバブルメディア３５が交換されても、交換後のリムーバブルメディア３５に既に記録されていたデータファイルに対して読み出し専用の属性が直ちに設定されるので、このデータファイルが誤って削除されてしまう心配がなく、データファイルの管理が容易なものとなる。
【実施例５】
【０１０１】
本実施例は、図１に示した顕微鏡用デジタルカメラ３を含む観察システムにおいて、顕微鏡用デジタルカメラ３の各部へ電力の供給が開始されたときに、その時点においてリムーバブルメディア３５に記録されているデータファイルに対して読み出し専用属性を設定するか否かを、観察者が選択できるようにしたものである。
【０１０２】
図１４について説明する。同図に示す処理は、読み出し専用属性を設定するか否かを観察者が選択できるようにするための制御処理である。電源スイッチ７１をｏｎ側にして顕微鏡用デジタルカメラ３の各部への電力の供給が開始されると、ＣＰＵ２０１は、図５に示した制御処理の代わりにこの図１４の処理を行う。
【０１０３】
図１４において、まず、Ｓ５０１では、図１５に例示するような読み出し専用属性設定選択画面を画像表示パネル４１に重畳表示させる処理が行われ、続くＳ５０２において、表示された当該画面に応じて観察者によってなされた指示が何であったかを判別する処理が行われる。
【０１０４】
このＳ５０２の処理において、左選択スイッチ６１の押下操作により、読み出し専用属性設定の選択がなされたと判別したときには図５のＳ１０１に処理を進め、その時点においてリムーバブルメディア３５に記録されているデータファイルに対して、読み出し専用属性を設定する処理が開始される。一方、Ｓ５０２の処理において、右選択スイッチ６２の押下操作により、読み出し専用属性を設定しない旨の選択がなされたと判別したときには図５のＳ１０３に処理を進め、読み出し専用属性を設定する処理を実行することなく、図５の処理を進める。
【０１０５】
上述した本実施例の顕微鏡用デジタルカメラ３では、顕微鏡用デジタルカメラ３が自動的に行う読み出し属性設定機能の解除を観察者が選択できるので、例えば、１人の観察者が１枚のリムーバブルメディア３５を使い続ける場合のように、読み出し専用属性の設定を必要としない場合に、当該機能を解除しておくことにより、観察者の観察作業が妨げられなくなるので、観察者が感じる煩わしさが解消する。
【０１０６】
なお、図１３に示した操作部位４の電気的構成を有する顕微鏡用デジタルカメラ３を含む図１の観察システムにおいて、リムーバブルメディア３５の挿入を検出したことをメディア検出器１０１から取得したときに、ＣＰＵ２０１が、図５に示した制御処理に代えて図１４に示した処理の実行を開始するようにして、顕微鏡用デジタルカメラ３にリムーバブルメディア３５が挿入されたときに、その時点においてリムーバブルメディア３５に記録されているデータファイルに対して読み出し専用属性を設定するか否かを、観察者が選択できるようにしてもよい。
【実施例６】
【０１０７】
本実施例は、図１若しくは図１３に示した顕微鏡用デジタルカメラ３を含む観察システムにおいて、顕微鏡用デジタルカメラ３がリムーバブルメディア３５に対するフォーマット（媒体の初期化）機能を提供している場合であって、読み出し専用属性の設定のなされているデータファイルがリムーバブルメディア３５内に存在している場合には、フォーマットを実行しないようにするというものである。
【０１０８】
図１６Ａについて説明する。同図に示す処理は、リムーバブルメディア３５に対するフォーマットを行うためにＣＰＵ２０１によって行われる制御処理である。この処理は、観察者が操作部位４を操作してフォーマットの実行指示を顕微鏡用デジタルカメラ３に対して行うと開始される。
【０１０９】
まず、Ｓ６０１において、メモリ読み出し書き込み部３６へ指示を与え、読み出し専用属性の設定されているデータファイルをリムーバブルメディア３５から探索する処理が行われ、続くＳ６０２において、読み出し専用属性の設定されているデータファイルが存在したか否かを判定する処理が行われる。ここで、読み出し専用属性の設定されているデータファイルが存在したと判定したとき（判定結果がＹｅｓのとき）はＳ６０３に処理を進め、読み出し専用属性の設定されているデータファイルが存在しなかったと判定したとき（判定結果がＮｏのとき）はＳ６０４に処理を進める。
【０１１０】
Ｓ６０３では、図１７に例示するようなフォーマット中止報知画面を画像表示パネル４１に重畳表示させて指示されたフォーマットは実行しない旨を報知する処理が行われ、その後は、リムーバブルメディア３５に対するフォーマットを実行することなく、この図１６Ａの処理を終了する。
【０１１１】
Ｓ６０４では、リムーバブルメディア３５に対するフォーマットを実行する処理が行われ、その後はこの図１６Ａの処理を終了する。
上述した本実施例の顕微鏡用デジタルカメラ３では、顕微鏡用デジタルカメラ３の各部への電力の供給開始時等にリムーバブルメディア３５に記録されているデータファイルに対して読み出し専用属性を設定した場合には、顕微鏡用デジタルカメラ３によるリムーバブルメディア３５に対するフォーマットの機能が使用不可とされるので、読み出し属性の設定をしたデータファイルが存在するのにも拘わらずリムーバブルメディア３５がフォーマットされてしまうことがなくなる結果、ファイル整理の利便性が更に向上する。
【０１１２】
なお、本実施例において、読み出し専用属性の設定されているデータファイルがリムーバブルメディア３５内に存在したときに、リムーバブルメディア３５に対してフォーマットを実行するか否かを、観察者が選択できるようにしてもよい。そのためには、図１６ＡにおけるＳ６０２の判定結果がＹｅｓであった場合に、Ｓ６０３の処理に代えて図１６Ｂの処理を実行するようにすればよい。
【０１１３】
図１６Ｂの処理を説明すると、まず、Ｓ６１１において、フォーマットの実行を許可するか否かの選択指示を観察者に要求する画面を画像表示パネル４１に重畳表示させる処理が行われ、続くＳ６１２において、表示された当該画面に応じて観察者によってなされた指示が何であったかを判別する処理が行われる。
【０１１４】
このＳ６１２の処理において、操作部位４に対する操作により、フォーマットの実行を許可する指示がなされたと判別したときには、Ｓ６１３においてリムーバブルメディア３５に対するフォーマットを実行する処理が行われ、その後はこの図１６Ｂの処理を終了する。一方、Ｓ６１２の処理において、操作部位４に対する操作により、フォーマットの実行を許可しない（中止する）指示がなされたと判別したときには、リムーバブルメディア３５に対するフォーマットを実行することなく、この図１６Ｂの処理を終了する。
【０１１５】
このようにすることにより、読み出し専用の属性が設定されているデータファイルがリムーバブルメディア３５内に存在しても、そのデータファイルを観察者が不要と判断した場合には、リムーバブルメディア３５に対するフォーマットの実行が可能となる。
【実施例７】
【０１１６】
本実施例は、図１０に示した操作部位４の電気的構成を有する顕微鏡用デジタルカメラ３を含む図１の観察システムにおいて、電源スイッチ７１をｏｎ側にして顕微鏡用デジタルカメラ３の各部への電力の供給が開始されたときに、図１１に例示したものと同様の、各画像ファイルが読み出し専用であるか否かを管理するリストを作成してＣＰＵ２０１のＲＡＭで保持しておき、画像ファイルの削除の可否をそのリストに基づいて判断する点においては実施例３と同様であるが、この電力の供給開始時においては、リムーバブルメディア３５内のファイル属性の書き換えを行わないというものである。
【０１１７】
図１８Ａについて説明する。同図に示す処理は、リムーバブルメディア３５内のファイル属性の書き換えを行わずに、図８に例示したファイル情報リストを作成するための制御処理である。電源スイッチ７１をｏｎ側にして顕微鏡用デジタルカメラ３の各部への電力の供給が開始されると、ＣＰＵ２０１は、図５に示した制御処理の代わりにこの図１８Ａの処理を行う。
【０１１８】
Ｓ７０１では、メモリ読み出し書き込み部３６へ指示を与え、リムーバブルメディア３５に記録されているデータファイルのファイル名を全て読み出す処理が行われる。
Ｓ７０２では、ファイル情報リスト生成部１００に指示を与え、前ステップの処理によって取得した各ファイル名に対して個別のＩＤを対応付けてファイル情報リストを生成する処理が行われる。作成されたファイル情報リストはＣＰＵ２０１内のＲＡＭで保持される。
【０１１９】
Ｓ７０３では、ＣＰＵ２０１内のＲＡＭで保持されているファイル情報リストにおける全ての「属性」フィールドを「１」として、当該リストにファイル名が示されている全てのデータファイルに対して当該リスト上での読み出し専用属性を設定する処理が行われ、その後は図５のＳ１０３に処理を進める。
【０１２０】
以降の処理は、基本的には図５及び図６に示したものと同様の処理が行われる。但し、図６のＳ１２８において１枚削除スイッチ７２に対する押下操作が検出されたときには、Ｓ１２９の処理に代えて図１８Ｂの処理が実行され、更に、Ｓ１３６において全削除スイッチ７３に対する押下操作が検出されたときには、Ｓ１３７及びＳ１３９の処理に代えて図１８Ｃの処理が実行される。
【０１２１】
まず、図１８Ｂの処理について説明すると、図６のＳ１２８の判定結果がＹｅｓのときには、Ｓ７１１において、画像表示パネル４１に現在表示されている画像の画像ファイルに対し、読み出し専用属性がファイル情報リスト上で設定されていないか否かを判定する処理が行われ、当該属性が設定されていないとき（判定結果がＹｅｓのとき）には図６のＳ１３０に処理を進め、当該属性が設定されているとき（判定結果がＮｏのとき）にはＳ７１２に処理を進める。
【０１２２】
Ｓ７１２では、顕微鏡用デジタルカメラ３が直近に電源ｏｎとされる前からリムーバブルメディア３５で保存されていた現在表示中の画像の削除を実行するか否かの指示を確認するための、図１９Ａに例示するような既存画像削除実行指示確認画面を画像表示パネル４１に重畳表示させる処理が行われ、続くＳ７１３において、表示された当該画面に応じて観察者によってなされた指示が何であったかを判別する処理が行われる。
【０１２３】
このＳ７１３の処理において、左選択スイッチ６１の押下操作による削除実行の指示がなされたと判別したときにはＳ７１４に処理を進め、画像表示パネル４１に現在表示されている画像の画像ファイルをリムーバブルメディア３５から削除する処理が行われ、その後は図６のＳ１３３に処理を進める。一方、Ｓ７１３の処理において、右選択スイッチ６２の押下操作による削除実行中止の指示がなされたと判別したときには、画像ファイルの削除を行うことなく、図６のＳ１３５に処理を進める。
【０１２４】
次に、図１８Ｃの処理について説明する。
図６のＳ１３６の判定結果がＹｅｓのときには、Ｓ７２１において、顕微鏡用デジタルカメラ３が直近に電源ｏｎとされる前からリムーバブルメディア３５で保存されていたものを含む全てのデータファイルの削除を実行するか否かの指示を確認するための、図１９Ｂに例示するような全削除実行指示確認画面を画像表示パネル４１に重畳表示させる処理が行われ、続くＳ７２２において、表示された当該画面に応じて観察者によってなされた指示が何であったかを判別する処理が行われる。
【０１２５】
このＳ７２２の処理において、左選択スイッチ６１の押下操作による全削除実行の指示がなされたと判別したときにはＳ７２３に処理を進め、リムーバブルメディア３５に記録されている全てのデータファイルを削除する処理が行われ、その後は図６のＳ１３９に処理を進める。
【０１２６】
一方、Ｓ７２２の処理において、右選択スイッチ６２の押下操作により、リムーバブルメディア３５に記録されているデータファイルのうち、顕微鏡用デジタルカメラ３が直近に電源ｏｎとされる前からリムーバブルメディア３５で保存されていたものについては削除せずにそのまま残す指示がなされたと判別したときには、Ｓ７２４において、メモリ読み出し書き込み部３６へ指示を与え、リムーバブルメディア３５に記録されている画像ファイルのうち、読み出し専用属性がファイル情報リスト上で設定されていないものを抽出する処理が行われ、続くＳ７２５において、抽出された画像ファイルのみをリムーバブルメディア３５から全て削除する処理が行われ、その後は図６のＳ１３９に処理を進める。従って、この場合には、顕微鏡用デジタルカメラ３が直近に電源ｏｎとされる前からリムーバブルメディア３５で保存されていたデータファイルは削除されずにリムーバブルメディア３５に残される。
【０１２７】
上述した本実施例の顕微鏡用デジタルカメラ３では、リムーバブルメディア３５に記録されているデータファイルについての情報をリスト化して保持しておくことにより、顕微鏡用デジタルカメラ３への電力の供給開始時においては、リムーバブルメディア３５内でのファイル属性の書き換えを行うことなくデータファイルの管理を可能としている。従って、電力の供給開始時以前にリムーバブルメディア３５で記録されていた画像に対してのＰＣ等の他の装置での削除を容易に行うことができる。
【実施例８】
【０１２８】
本実施例は、実施例７において作成されるファイル情報リストによって管理される対象のデータファイルを、画像表示パネル４１へ画像として表示可能な画像ファイルのみに限定するものである。
【０１２９】
このためには、実施例７においてＣＰＵ２０１で実行される図１８Ａの処理におけるＳ７０１の処理を、図２０に示すＳ８０１の処理に置き換える。
この処理を説明すると、Ｓ８０１では、メモリ読み出し書き込み部３６へ指示を与え、リムーバブルメディア３５に記録されているデータファイルのうち、格納しているデータが画像データであることを示す拡張子がファイル名に与えられているデータファイル（例えば、前述したＪＰＥＧ方式に則ったデータ形式の画像ファイルであることを示す「ｊｐｇ」なる拡張子がファイル名に与えられているデータファイル）の当該ファイル名を全て読み出す処理が行われ、その後は図１８ＡのＳ７０２に処理を進める。
【０１３０】
上述した本実施例の顕微鏡用デジタルカメラ３は、リムーバブルメディア３５に記録されているデータファイルのうち、顕微鏡用デジタルカメラ３自身で表示可能な画像ファイルのみに対してのみ読み取り属性を設定するリストを作成するので、属性設定作業が少なくなる。その結果、例えばリムーバブルメディア３５が大容量であって膨大なデータファイルが格納されていても、当該リストに対する読み出し属性の設定処理の処理量が減少するので、顕微鏡用デジタルカメラ３での電力供給開始時の処理に要する時間が短くなる。
【実施例９】
【０１３１】
本実施例は、顕微鏡用デジタルカメラ３を含む観察システムにリムーバブルメディア３５を挿入したときに、当該リムーバブルメディア３５が顕微鏡用デジタルカメラ３で直近まで使用されていたものと同一のものであるかどうかを判定し、同一のものである場合には、リムーバブルメディア３５に記録されているデータファイルに対して読み出し専用属性を設定するというものである。
【０１３２】
図２１は、本実施例における操作部位４の電気的構成を示している。なお、同図において、図１３に示した実施例４におけるものと同様の構成要素には同一の符号を付している。
【０１３３】
本実施例における操作部位４の電気的構成と実施例４におけるものとの相違点は、ＩＤ記憶器１０２とＩＤ比較器１０３とが備えられている点にある。
ＩＤ記憶器１０２は、ＣＰＵ２０１によって指定される数値、例えば００００からＦＦＦＦ（１６進数）の範囲にあるいずれかの数値を１つ記憶する。この数値をＩＤ記憶器１０２のＩＤ値と称することとする。このＩＤ値は、リムーバブルメディア３５を個別に識別するための識別情報として利用される。
【０１３４】
ＩＤ比較器１０３は、リムーバブルメディア３５に記録させるＩＤファイルに示されている数値とＩＤ記憶器１０２のＩＤ値とを比較して両者の一致・不一致の判定結果をＣＰＵ２０１へ出力する。
【０１３５】
ＩＤファイルのデータ例を図２２に示す。同図に示すように、ＩＤファイルには数値がテキストファイルで示される。この数値をＩＤファイルのＩＤ値と称することとする。
本実施例において、メディア検出器１０１がリムーバブルメディア３５の挿入を検出するとその検出結果はＣＰＵ２０１に伝えられる。ＣＰＵ２０１は、メディア検出器１０１を常時監視するようにし、この検出結果をメディア検出器１０１から取得する度に、図２３に示した制御処理の実行を開始する。
【０１３６】
図２３を説明する。
まず、Ｓ９０１において、メモリ読み出し書き込み部３６へ指示を与えてリムーバブルメディア３５に記録されているＩＤファイルのＩＤ値を取得させる処理が行われ、続くＳ９０２において、取得されたＩＤ値と、ＩＤ記憶器１０２のＩＤ値とが一致するか否かをＩＤ比較器１０３に判定させる処理が行われる。なお、この判定処理において、ＩＤファイルがリムーバブルメディア３５に記録されていない場合には、両者が一致しないものとする（判定結果をＮｏとする）。
【０１３７】
ここで、両者が一致すると判定されたとき（判定結果がＹｅｓのとき）には、挿入されたリムーバブルメディア３５が顕微鏡用デジタルカメラ３で直近まで使用されていたものと同一のものであるとみなして図５のＳ１０１に処理を進め、リムーバブルメディア３５に記録されているデータファイルに対して読み出し専用属性を設定する処理が行われる。
【０１３８】
一方、両者が一致しないと判定されたとき（判定結果がＮｏのとき）には、挿入されたリムーバブルメディア３５が顕微鏡用デジタルカメラ３で直近まで使用されていたものとは異なるものであるとみなして、Ｓ９０３において、ＩＤ記憶器１０２のＩＤ値を「１」だけ増加させる処理が行われる。但し、このときにＩＤ記憶器１０２のＩＤ値が既に取り得る最大の値に達していたとき、例えばＦＦＦＦ（１６進数）であったときには、ＩＤ記憶器１０２のＩＤ値を取り得る最小の値とする、例えば００００（１６進数）とする処理を行う。
【０１３９】
Ｓ９０４では、メモリ読み出し書き込み部３６へ指示を与え、ＩＤ記憶器１０２の現在のＩＤ値が示されているＩＤファイルを作成してリムーバブルメディア３５に記録させる処理が行われる。なお、この処理において、リムーバブルメディア３５にＩＤファイルが既に記録されている場合には、ＩＤファイルを上書きして記録内容を更新する。この処理によって、ＩＤ記憶器１０２の現在のＩＤ値とＩＤファイルの現在のＩＤ値とを一致させているので、以降に新たに顕微鏡用デジタルカメラ３に挿入したリムーバブルメディア３５が直近まで使用されていたものと同一のものである場合には、前述したＳ９０２の判定結果がＹｅｓとなるのである。
【０１４０】
Ｓ９０５では、顕微鏡用デジタルカメラ３に対してなされている撮像に関する各種の設定、たとえば、露出の設定やさまざまな操作状態を初期状態に再設定（初期化）する処理が行われ、その後は図５のＳ１０３に処理を進め、リムーバブルメディア３５に記録されているデータファイルに対して読み出し専用属性を設定せずに図５の処理を実行する。
【０１４１】
上述した本実施例の顕微鏡用デジタルカメラ３は、そのリムーバブルメディア３５が直近に使用していたものである場合には、リムーバブルメディア３５の装着時にデータファイルに対して読み出し属性が設定されるので、例えば、複数人が共用するリムーバブルメディア３５と各個人固有のリムーバブルメディア３５との両方が併用される場合に、共用のメディアには読み出し専用の属性を設定する一方で、各個人固有のメディアには読み出し専用の属性を設定しないといったような使い分けが可能となる。また、直近に使用していたものとは異なるリムーバブルメディア３５が挿入された場合には、顕微鏡用デジタルカメラ３に対する撮像に関する各種の設定が自動的に初期化されるので、顕微鏡用デジタルカメラ３の操作を初期状態から行うことで操作の間違いを未然に防止することができる。
【実施例１０】
【０１４２】
本実施例は、顕微鏡用デジタルカメラ３をＰＣで制御するというものである。
図２４は、本実施例における操作部位４の電気的構成を示している。なお、同図において、図３Ｂに示した実施例１におけるものと同様の構成要素には同一の符号を付している。
【０１４３】
本実施例における操作部位４の電気的構成と実施例１におけるものとの相違点は、通信端子３７と通信制御部３８とが備えられている点にある。
ＣＰＵ２０１は、通信制御部３８により、標準的な構成のＰＣ、すなわち、制御プログラムの実行によってＰＣ全体の動作制御を司るＣＰＵ（中央処理装置）と、このＣＰＵが必要に応じてワークメモリとして使用するメインメモリと、各種データの授受を管理するインタフェースユニットと、各種のプログラムや画像データなどを記憶して保存しておく例えばハードディスク装置などの補助記憶装置と、画像データで表現されている画像や各種の情報を表示する表示部とを有しているＰＣとの間で、通信端子３７を介して各種のデータの授受を行うことができ、ＰＣから送られてくる制御信号に基づいて、顕微鏡用デジタルカメラ３の動作を制御する。なお、通信端子３７は、例えばＵＳＢ（Universal Serial Bus）規格に則ったものを用いることができる。
【０１４４】
顕微鏡用デジタルカメラ３をこのＰＣで制御するためには、ここまでに説明した各種の制御処理をこのＰＣのＣＰＵに行わせるための制御プログラムを作成してコンピュータ読み取り可能な記録媒体に記録させておき、このＰＣを通信端子３７に接続した状態で、そのプログラムを記録媒体からＰＣに読み込ませてＣＰＵで実行させることにより可能となる。
【０１４５】
なお、記録させた制御プログラムをＰＣで読み取ることの可能な記録媒体としては、例えば、ＰＣに内蔵若しくは外付けの付属装置として備えられるＲＯＭやハードディスク装置などの記憶装置、ＰＣに備えられる媒体駆動装置へ挿入することによって記録された制御プログラムを読み出すことのできるフレキシブルディスク、ＭＯ（光磁気ディスク）、ＣＤ−ＲＯＭ、ＤＶＤ−ＲＯＭなどといった携帯可能記録媒体等が利用できる。
【０１４６】
また、このような記録媒体は、通信回線を介してＰＣと接続されるプログラムサーバが備えている記憶装置であってもよい。この場合には、制御プログラムを表現するデータ信号で搬送波を変調して得られる伝送信号を、プログラムサーバから伝送媒体である通信回線を通じてＰＣへ伝送するようにし、ＰＣでは受信した伝送信号を復調して制御プログラムを再生することでこの制御プログラムをＰＣのＣＰＵで実行できるようになる。
【０１４７】
その他、本発明は、上述した各実施形態に限定されることなく、本発明の要旨を逸脱しない範囲内で種々の改良・変更が可能である。
例えば、図１において、操作表示部６を削除し、その代わりにカメラヘッド部２とＰＣとを直接接続するようにしてもよい。なお、この場合には、カメラヘッド部２とＰＣとはＵＳＢ等の汎用の通信インタフェースを利用して接続するようにし、ＰＣからのカメラ制御命令をカメラヘッド部２へ送信するようにすることにより、カメラヘッド部２において露出時間や撮影の制御等が可能となる。
【０１４８】
なお、上記した実施の形態から次のような構成の技術的思想が導かれる。
［付記１］  顕微鏡により得られる標本像を記録する顕微鏡用カメラであって、
前記標本像を表わしている画像データファイルを記録媒体に記録させる記録制御手段と、
前記顕微鏡用カメラへの電力の供給を制御するスイッチ手段と、
前記スイッチ手段によって前記電力の供給が開始されたときに、当該開始時点において  前記記録媒体に既に記録されていたデータファイルのリストを作成するリスト作成手段と、
前記記録媒体におけるデータファイルの記録を削除する削除手段と、
データファイルの記録を削除する指示を取得したときに、前記記録媒体におけるデータファイルの記録のうち、前記リストに含まれていないデータファイルの記録のみを前記削除手段に削除させる削除制御手段と、
を有することを特徴とする顕微鏡用カメラ。
【０１４９】
［付記２］  画像データファイルで表わされている画像を再生して表示する表示手段を更に有し、
前記リスト作成手段は、前記データファイルのうち前記表示手段で表示可能な画像を表わしている画像データファイルのみについての前記リストを作成する、
ことを特徴とする付記１に記載の顕微鏡用カメラ。
【０１５０】
［付記３］  他の機器から送られてくる制御信号に基づいて前記顕微鏡用カメラの動作を制御する制御手段を更に有することを特徴とする付記１に記載の顕微鏡用カメラ。
【符号の説明】
【０１５１】
１  顕微鏡本体
２  カメラヘッド部
３  顕微鏡用デジタルカメラ
４  操作部位
５  表示部位
６  操作表示部
７  ケーブル
２０  光電変換素子
２１  サンプリング回路
２２  Ａ／Ｄ変換器
２３  画像処理部
２４  Ｄ／Ａ変換器
２５  シャッタ
３０  操作部
３１  シャッタスイッチ
３２  モードスイッチ
３３  露光補正スイッチ
３４  メモリ装置
３５  リムーバルメディア
３６  メモリ読み出し書き込み部
３７  通信端子
３８  通信制御部
４１  画像表示パネル
４２  情報表示パネル
５０  標本
５１  ステージ
５２  対物レンズ
５３  光軸
５４  接眼レンズ
５５  結像レンズ
５６  ハーフミラー
６１  左選択スイッチ
６２  右選択スイッチ
６４  記録枚数検出部
７１  電源スイッチ
７２  １枚削除スイッチ
７３  全削除スイッチ
７４  読み出し属性設定部
１００  情報ファイルリスト生成部
１０１  メディア検出器
１０２  ＩＤ記憶器
１０３  ＩＤ比較器
２００  表示用ＲＡＭ
２０１  制御処理部（ＣＰＵ）
２０３  カメラヘッドコネクタ
【図１】
2010178358.tif 000003
【図２】
2010178358.tif 000004
【図３Ａ】
2010178358.tif 000005
【図３Ｂ】
2010178358.tif 000006
【図４】
2010178358.tif 000007
【図５】
2010178358.tif 000008
【図６】
2010178358.tif 000009
【図７】
2010178358.tif 000010
【図８】
2010178358.tif 000011
【図９Ａ】
2010178358.tif 000012
【図９Ｂ】
2010178358.tif 000013
【図１０】
2010178358.tif 000014
【図１１】
2010178358.tif 000015
【図１２Ａ】
2010178358.tif 000016
【図１２Ｂ】
2010178358.tif 000017
【図１２Ｃ】
2010178358.tif 000018
【図１２Ｄ】
2010178358.tif 000019
【図１３】
2010178358.tif 000020
【図１４】
2010178358.tif 000021
【図１５】
2010178358.tif 000022
【図１６Ａ】
2010178358.tif 000023
【図１６Ｂ】
2010178358.tif 000024
【図１７】
2010178358.tif 000025
【図１８Ａ】
2010178358.tif 000026
【図１８Ｂ】
2010178358.tif 000027
【図１８Ｃ】
2010178358.tif 000028
【図１９Ａ】
2010178358.tif 000029
【図１９Ｂ】
2010178358.tif 000030
【図２０】
2010178358.tif 000031
【図２１】
2010178358.tif 000032
【図２２】
2010178358.tif 000033
【図２３】
2010178358.tif 000034
【図２４】
2010178358.tif 000035